(57)【要約】【課題】操作ミスが生じにくい医療廃棄物用の容器および廃棄システムを提供することである。【解決手段】医療廃棄物用の容器の凹部５０は深さ方向に延びる軸線Ｓに配置された中心孔部５１と、中心孔部５１から放射方向に延びる３〜１０個の放射孔部５２とを有し、歯車形状の平面断面を有する針ケースに凹部５０が嵌合するように歯車状に構成されていることを特徴とする。【選択図】図９
2018175474.tif 000002
【特許請求の範囲】
【請求項１】
針２５と当該針の一部を囲繞する針ハウジング２６とを有する針ユニット２７がネジにより本体ケース３０に着脱され、患者が自分で薬液を投与するのに適したペン型注射器の前記本体ケース３０および針ユニット２７を投入する開口１６が形成された蓋部１０と、前記投入された本体ケース３０および針ユニット２７を収容する収容部１２とを備え、
前記本体ケース３０から前記針ユニット２７を取り外す針ケースを立設するための有底の取外し用の凹部が前記蓋部１０に形成され、
前記針ケースが前記凹部に嵌着せず、かつ、前記針ケースが前記凹部内で倒れることのないように、前記凹部の深さおよび径が設定された医療廃棄物用の容器において、
前記凹部５０は前記深さ方向に延びる軸線Ｓに配置された中心孔部５１と、
前記中心孔部５１から放射方向に延びる３〜１０個の放射孔部５２とを有し、
先端が矢羽根状の前記針ケースに前記凹部５０が嵌合するように歯車状に構成されていることを特徴とする、容器。
【請求項２】
請求項１において、
前記凹部５０は前記針ケースの先端が当接する底板５６で規定され、
前記中心孔部５１は前記軸線Ｓから所定の距離に配置された前記底板５６から立ち上がる３〜１０個の中心壁５３で規定され、
前記各放射孔部５２が前記各中心壁５３に連なる壁部５４で規定されていることを特徴とする、容器。
【請求項３】
請求項１もしくは２において、
前記蓋部１０には、前記歯車状の凹部５０とは別に、断面円形状の凹部１７を更に備えることを特徴とする、容器。
【請求項４】
請求項１もしくは２において、
前記放射孔部５２の外端の部位に前記深さ方向に延びるスリット５５が形成されていることを特徴とする、容器。
【請求項５】
請求項１〜４のいずれか１項の容器１と前記針ケースとを含む医療廃棄物の廃棄システムであって、前記針ケースは、
前記中心孔部５１に嵌る円筒状の円筒部６１と、
前記円筒部６１から前記放射方向に延び前記放射孔部５２に嵌る３〜１０枚の羽根部６２とを有することを特徴とする、廃棄システム。
【発明の詳細な説明】
【技術分野】
【０００１】
本発明は針ユニットを取り外し当該針ユニット等の医療廃棄物を廃棄する容器に関するものである。
【背景技術】
【０００２】
従来より、たとえば、インスリンや成長ホルモンを患者が自分で注射する（自己注射）するためのペン型注射器が提案されている（特許文献１参照）。
前記患者が自己注射を行えるようになるまで、看護師が前記ペン型注射器を用いて患者に注射方法を教えている。かかる場合には、前記注射を行った後、衛生上の観点から、１回の注射ごとにペン型注射器の針ユニットの交換を看護師が行っている。使用済の針ユニットは、医療廃棄物用の容器に廃棄される（特許文献２参照）。
【先行技術文献】
【特許文献】
【０００３】
【特許文献１】特表２００６−５１９０７８号公報
【特許文献２】登録意匠番号１１６６２０２号公報
【特許文献３】特許第４７５０１４６号公報
【０００４】
しかし、前記ペン型注射器の針ユニットの交換中に針先が看護師に自身に刺さり、院内感染が生じるなどの医療事故が発生している。
一方、前記医療事故を回避するために、看護師の手をカバーするようなラッパ型の交換用器具も使用されているが、大型で嵩張り、また、該交換器具を持参することを失念するおそれがあるなど煩雑である。
【０００５】
そこで、別途、専用の器具を用いることなく、安全にペン型注射器から針ユニットを取り外すことができる針ユニットの取り外し方法および医療廃棄物用の容器が提案されている。（特許文献３参照）
【０００６】
この先行技術によれば、医療廃棄物用の容器に形成された取外し用凹部に針ケースを挿入し、該針ケースにペン型注射器を押し込んで、針ユニットの針ハウジングに前記針ケースを嵌着させるので、看護師に針先が刺さるなどの事故を防止しながら、針ハウジングの交換を行うことができる。
【０００７】
また、別途、針ユニットを取り外すための器具を持ち歩く必要が無くなるので至便である。
【０００８】
以下、前記先行技術を図面にしたがって説明する。
【０００９】
医療廃棄物用の容器を説明するに先立ち、まず、自己注射に用いるための従来のペン型注射器について説明する。
【００１０】
図７Ｄに示すように、ペン型注射器は、本体ケース３０と針ユニット２７からなる。針ユニット２７は、針２５と当該針２５の一部を囲繞する針ハウジング２６とを有する。針ハウジング２６は本体ケース３０の先端部に挿入される。
【００１１】
前記ペン型注射器を用いて医薬品の投与を行うには、投与量を該ペン型注射器に設定した後、針２５を患者の体に挿入して、該ペン型注射器内に予め投入された医薬品を患者の体内に投与する。
【００１２】
前記注射を行う毎に、針ユニット２７を本体ケース３０から取り外し、注射を行う度に新たな針ユニット２７を本体ケース３０に装着する。
【００１３】
針ユニット２７；
図６に示す前記針ユニット２７は針キャップ２４内に収納され、該針キャップ２４は針ケース２０内に収納された後、カバーフィルム２２によって密閉されている。針ケース２０は、その先端部分に、使用済の針ユニット２７を収納可能な小径部２１が形成されている。なお、針ケース２０内と針ハウジング２６（図７Ｄ）の周囲には、互いに螺合するネジ山が形成されている。
【００１４】
針ユニット２７の装着方法；
まず、図６に示すカバーフィルム２２を、図７Ａに示すようにはぎ取った後、図７Ｂに示すように、針ケース２０の挿入孔（針ケースの開口）２３内に本体ケース３０の先端部３１（図７Ａ）を挿入する。
【００１５】
その後、針ケース２０を本体ケース３０から引き抜くと、図７Ｃに示すように、本体ケース３０に針ユニット２７が装着されると共に、該針ユニット２７には、該針ユニット２７をカバーする針キャップ２４が装着される。前記針キャップ２４は、注射時に外して使用する。
【００１６】
容器１：
前記針ユニット２７は、注射を行う毎に取り外して廃棄される。
以下、針ユニット２７の取り外しおよび廃棄を行うための医療廃棄物用の容器１の構造について説明する。
【００１７】
図１に示すように、前記容器１は方形状の容器であり、容器本体（収容部）１２と、内蓋１３および外蓋１４からなる蓋部１０とを備えている。
前記内蓋１３および外蓋１４は一体に成形され、内蓋１３と外蓋１４の間は薄肉部１５となっている。内蓋１３は、容器本体１２の上部に嵌め込まれており、外蓋１４は、薄肉部１５を中心に回転可能となっている。
【００１８】
前記内蓋１３は、その上面に使用済の針ユニット２７および針ケース２０が投入される開口１６および針ユニット２７の取り外しに用いる有底の取外し凹部１７を備えている。針ユニット２７の取り外しや、取り外した針ユニット２７を、開口１６から容器１の内部に投入するには、外蓋１４を回動させて開いた状態で行う。
【００１９】
前記薄肉部１５は、容器１の背面側Ｂに設けられている。容器１内に収納された使用済の針ユニット２７や針ケース２０などの廃棄を行う場合には、外蓋１４を正面側Ｆに向って回動させ、開口１６を閉じた上で、外蓋１４の先端に設けた２つの爪１８ａを折り曲げて、内蓋１３上面に設けた２つの嵌合孔１８ｂにそれぞれ押し込み、外蓋１４が開かないように閉じる。
【００２０】
なお、容器１は、ヒンジ部１９ａを中心に回転可能な把手１９ｂを備えており、前記把手１９ｂを持って容器１を持ち運ぶことが可能である。
【００２１】
前記針ユニット２７を本体ケース３０から取り外すには、図５Ａに示すように、前記針ケース２０に本体ケース３０の針ユニット２７側を押し込み、図５Ｂに示すように、所定の方向に複数回回転させて針ケース２０内に針ユニット２７の針ハウジング２６を螺合させて固定した後、針ユニット２７を本体ケース３０から取り外し、図５Ｃに示すように、前記開口１６から容器１内に廃棄する。
【００２２】
ここで、本体ケース３０を針ケース２０に押し込む時に、針２５が看護師の指に刺さるなどの医療事故が生じ易い。そこで、図３に示すように容器１には、内蓋１３の上面に、針ケース２０を立設するための取外し凹部１７を設けている。
図４に示すように、取外し凹部１７に立設された針ケース２０に本体ケース３０の針ユニット２７側を押し込み、引き上げることで安全に本体ケース３０の先端に針ケース２０を装着することができる。
【００２３】
取外し凹部１７：
図２に示すように、前記取外し凹部１７には、針ケース２０の小径部２１（図６）が挿入される。取外し凹部１７は、針ケース２０の小径部２１が該凹部１７に嵌着せず、かつ、針ケース２０が倒れることがないように、市販の針ケースの小径部に合わせて、深さＤが６．０ｍｍ〜１０ｍｍで、直径が５．８ｍｍ〜６．８ｍｍに設定されている。
取外し凹部１７の上面は、針ケース２０の小径部２１が入り易いように、若干丸みを帯びた形状に形成されている。
【００２４】
図３に示すように、取外し凹部１７内に針ケース２０の小径部２１を差し込むと、図２の側面１７ａに針ケース２０の小径部２１（図６）の側面が支持されると共に、取外し凹部１７の底部１７ｂに前記小径部２１の先端部が支持され、図３に示すように、針ケース２０が立設される。
なお、取外し凹部１７の平面形状は、必ずしも円形である必要はなく、多角形や楕円形など取外し凹部１７内で針ケース２０が嵌着せず、かつ、取外し凹部１７内で倒れることがない形状であればよい。
【００２５】
針ユニット２７の取り外し方法：
本体ケース３０から針ユニット２７を取り外すには、まず、図３に示すように、前記取外し凹部１７に、針ユニット２７を収納することが可能な針ケース２０の小径部２１を挿入し、挿入孔２３が上方に向かった状態で、取外し凹部１７に当該針ケース２０を起立状態に配置する。
【００２６】
その後、図４および図５Ａに示すように、針ユニット２７が本体ケース３０に螺合された本体ケース３０の針２５を下に向けた状態で、該本体ケース３０を針ケース２０に押し込んで、針ユニット２７の針ハウジング２６に針ケース２０を嵌着させる。
【００２７】
前記押し込み後、本体ケース３０を上方に引き上げると、針ユニット２７に針ケース２０が嵌着された状態で針ケース２０が取外し凹部１７から取り外される。
【００２８】
その後、図５Ｂに示すように、本体ケース３０に対して針ケース２０を、図５Ｂに示す所定の方向に複数回回転させると、針ユニット２７が針ケース２０内に螺合して固定される。かかる状態で、本体ケース３０から針ケース２０を引き抜くと、針ユニット２７が針ハウジング２６に嵌着した状態を維持しながら該針ユニット２７が本体ケース３０から離脱される。
【００２９】
前記離脱後、図５Ｃに示すように、前記針ユニット２７を針ハウジング２６と共に、開口１６から医療廃棄容器１内に投入して廃棄する。
【発明の開示】
【００３０】
しかし、図５Ｂの針ケース２０の先端の小径部２１は細く持ちにくい。そのため、医療行為時に操作ミスが生じ易い。
一方、針ケース２０を持ち易くするために小径部２１を太くすると、針ケース２０の軸線の位置が分かりづらく、やはり、操作ミスが生じ易い。
【００３１】
したがって、本発明の目的は操作ミスが生じにくい医療廃棄物用の容器および廃棄システムを提供することである。
【００３２】
本発明の医療廃棄物用の容器は、
前記凹部５０が前記深さ方向に延びる軸線Ｓに配置された中心孔部５１と、
前記中心孔部５１から放射方向に延びる３〜１０個の放射孔部５２とを有し、
先端が矢羽根状の前記針ケース２０に前記凹部５０が嵌合するように歯車状に構成されていることを特徴とする。
【００３３】
本発明によれば、円筒部６１および羽根部６２を有する針ケースを前記凹部５０に立てて、ペン型注射器に針ケースを嵌着させることができる。すなわち、針ケースの円筒部６１を中心孔部５１に嵌合させると共に、羽根部６２を放射孔部５２に嵌合させて、針ケースを凹部５０に立てることができる。これにより、従来と同様に針ハウジングの交換を行うことができる。
【００３４】
一方、針ケースの先端部には細い円筒部６１があり、本容器を用いずに、針ケースを脱着する際に、針ケースの軸線の位置が分かりづらくなるということもない。
【００３５】
したがって、医療行為時に操作ミスが生じにくい。
【図面の簡単な説明】
【００３６】
【図１】従来の医療廃棄物用の容器を示す概略斜視図である。
【図２】同取外し凹部を示す拡大された概略断面図である。
【図３】同容器を示す概略斜視図である。
【図４】同容器を示す概略斜視図である。
【図５】図５Ａ〜図５Ｃは、針ユニットの取り外し方法を示す概略斜視図である。
【図６】針ケースを示す概略斜視図である。
【図７】図７Ａ〜図７Ｄは、針ユニットのペン型注射器への装着方法を示す概略斜視図である。
【図８】本発明の実施例１をデジタル写真で示す容器の概略斜視図である。
【図９】同実施例１の凹部を示す破断斜視図、斜視図および底板等を示す斜視図である。
【図１０】同実施例１の凹部を示す平面図、縦断面図および平面断面図である。
【図１１】針ケースの装着方法を示す概略斜視図である。
【図１２】本発明の実施例２をデジタル写真で示す容器の概略斜視図である。
【図１３】実施例２のアタッチメントを示す平面図および側面図である。
【図１４】同実施例２の凹部を示す平面図、縦断面図、平面断面図および斜視図である。
【発明を実施するための形態】
【００３７】
好ましくは、前記凹部５０は前記針ケースの先端が当接する底板５６で規定され、
前記中心孔部５１は前記軸線Ｓから所定の距離に配置された前記底板５６から立ち上がる３〜１０個の中心壁５３で規定され、
前記各放射孔部５２が前記各中心壁５３に連なる壁部５４で規定されていることを特徴とする。
【００３８】
好ましくは、前記蓋部１０には、前記歯車状の凹部５０とは別に、断面円形状の凹部１７を更に備える。
【００３９】
蓋部１０が広い面積を有する場合、従来の凹部１７を設け円筒形の小径部を有する針ケースを凹部１７に立てて、針ハウジングの交換を行うことができる。
なお、歯車形状の凹部５０の中心孔部５１に前記従来の小径部を立てることができるようにしてもよい。この場合も、断面円形状の凹部１７があることで、従来どおりの用い方が可能になる。
【００４０】
好ましくは、前記放射孔部５２の外端の部位に前記深さ方向に延びるスリット５５が形成されている。
【００４１】
容器が携帯用で小さい場合や、針ユニット２７を投入する開口１６にアタッチメントを設け当該アタッチメントに凹部５０を設ける場合、スペース的に凹部５０を形成（成型）しにくいことがある。
これに対し、前記スリット５５が形成されていることで、狭いスペースに凹部５０の形成が可能となる。
【実施例】
【００４２】
以下、本発明の実施例を図面にしたがって説明する。以下の実施例において、図１〜図７の先行技術と同一部分もしくは相当部分には同一符号を付しており、先行技術と相違する部分について主に説明する。
【００４３】
図８の医療廃棄物用の容器において、内蓋１３には凹部５０が設けられている。針ケース６０（図１１）が前記凹部５０に嵌着せず、かつ、図１１の前記針ケース６０が前記凹部５０内で倒れることのないように、前記凹部５０の深さおよび径が設定されている。
【００４４】
図９の前記凹部５０は前記深さ方向に延びる図１０の軸線Ｓに配置された中心孔部５１と、図９の前記中心孔部５１から放射方向に延びる３〜１０個（好ましくは４〜８個）の放射孔部５２とを有する。
図１１のように先端が矢羽根状の前記針ケース６０に前記凹部５０が嵌合するように凹部５０が歯車状に構成されている。
【００４５】
すなわち、前記針ケース６０は、前記中心孔部５１に嵌る円筒状の円筒部６１と、前記円筒部６１から前記放射方向に延び前記放射孔部５２に嵌る３〜１０枚（好ましくは４〜８枚）の羽根部６２とを有する。
【００４６】
図１０の前記凹部５０は前記針ケースの先端が当接する底板５６で規定されている。前記中心孔部５１は前記軸線Ｓから所定の距離に配置された前記底板５６から立ち上がる例えば６個の中心壁５３で規定されている。前記各放射孔部５２が前記各中心壁５３に連なる壁部５４で規定されている。
【００４７】
図８の前記蓋部１０には、前記歯車状の凹部５０とは別に、従来と同様の断面円形状の凹部１７を更に備えている。
なお、図９の中心孔部５１の内径は従来の針ケース２０を立てることができる径に設定されていてもよい。
【００４８】
針ユニット２７の取り外し方法：
図１１の本体ケース３０から針ユニット２７を取り外すには、まず、図１１（ａ）に示すように、前記凹部５０に、針ユニット２７を収納することが可能な針ケース６０の先端部を挿入し、挿入孔６３が上方に向かった状態で、凹部５０に当該針ケース６０を起立状態に配置する。
【００４９】
その後、図１１（ｂ）および（ｃ）に示すように、針ユニット２７が本体ケース３０に螺合された本体ケース３０の針２５を下に向けた状態で、該本体ケース３０を針ケース６０に押し込んで、針ユニット２７の針ハウジング２６に針ケース６０を嵌着させる。
【００５０】
前記押し込み後、本体ケース３０を上方に引き上げると、針ユニット２７に針ケース６０が嵌着された状態で針ケース６０が凹部５０から取り外される。
【００５１】
その後、図５Ｂの前記先行技術と同様に、本体ケース３０に対して針ケース６０を、所定の方向に複数回回転させると、針ユニット２７が針ケース６０内に螺合して固定される。かかる状態で、本体ケース３０から針ケース６０を引き抜くと、針ユニット２７が針ハウジング２６に嵌着した状態を維持しながら該針ユニット２７が本体ケース３０から離脱される。
【００５２】
前記離脱後、図５Ｃと同様に、前記針ユニット２７を針ハウジング２６と共に、開口１６から容器１内に投入して廃棄する。
【００５３】
図１２〜１４は実施例２を示す。
図１２に示すように、実施例２の容器１は、円筒形に形成されている。また、容器１は、患者が携帯して使用できる大きさに形成されている。
【００５４】
容器１の内蓋１３には、図１３のアタッチメント７０が装着されている。このアタッチメント７０には凹部５０および使用済みの針ユニット２７の収納された針ケース６０を廃棄するための開口１６が形成されている。
【００５５】
図１４に示すように、前記放射孔部５２の外端の部位に前記深さ方向に延びるスリット５５が形成されている。
その他の構成は、実施例１と同様であり、同一部分または相当部分に同一符号を付してその説明を省略する。
【産業上の利用可能性】
【００５６】
本発明はペン型注射器の針ケースおよび医療廃棄物の容器に適用できる。
【符号の説明】
【００５７】
１：容器  １０：蓋部  １２：容器本体（収容部）  １６：注射器投入口（開口）
１７：取外し凹部
２０：針ケース  ２３：挿入孔（針ケースの開口）２５：針  ２６：針ハウジング
２７：針ユニット
３０：本体ケース
５０凹部  ５１中心孔部  ５２：放射孔部  ５３：中心壁  ５４：壁部              ５５：スリット  ５６：底板
６０：針ケース  ６１：円筒部  ６２：羽根部
７０：アタッチメント
Ｓ：軸線
【図１】
2018175474.tif 000003
【図２】
2018175474.tif 000004
【図３】
2018175474.tif 000005
【図４】
2018175474.tif 000006
【図５】
2018175474.tif 000007
【図６】
2018175474.tif 000008
【図７】
2018175474.tif 000009
【図８】
2018175474.tif 000010
【図９】
2018175474.tif 000011
【図１０】
2018175474.tif 000012
【図１１】
2018175474.tif 000013
【図１２】
2018175474.tif 000014
【図１３】
2018175474.tif 000015
【図１４】
2018175474.tif 000016